(57)【特許請求の範囲】
【請求項１】
複数の好ましいカスタム化用品パラメーターを複数のゴルフクラブ用に選択する方法であって、
複数の実際のゴルフ用品パラメーターおよび複数の実際のプレイヤー技能評価データを含む第一データセットを集めるステップと、
複数の基準ゴルフ用品パラメーターおよび複数の基準プレイヤー技能評価データを含む第一サブセット並びに複数の潜在カスタム化ゴルフ用品パラメーターを含む第二サブセットをそれぞれ含む、複数の第二データセットを提供するステップと、
前記複数の第二データセットのそれぞれの前記第一サブセットを前記第一データセットの対応するサブセットと比較するステップと、
前記第一サブセットが前記第一データセットの前記対応するサブセットと一致するすべての第二データセットを選択するステップと、
前記第一サブセットが前記第一データセットの前記対応するサブセットと一致するすべての前記第二データセットの前記第二サブセットから、特定の第二データセットに属する前記複数の潜在カスタム化ゴルフ用品パラメーターを特定するステップと、
前記特定の第二データセットに属する前記複数の潜在カスタム化ゴルフ用品パラメーターを、前記複数の好ましいカスタム化ゴルフ用品パラメーターとして指定するステップと、を含み、
前記複数の実際のプレイヤー技能評価データは、プレイヤーの少なくとも２種類のクラブに関連したそれぞれのショット飛距離を含み、
前記基準ゴルフ用品パラメーターは、可能なウェッジ数、スコアリングクラブおよび／またはロブウェッジの存否に関するデータを含み、
前記潜在カスタム化ゴルフ用品パラメーターは、ゴルファーの使用に選択される可能性のあるクラブのタイプおよびロフトに関する記入を含み、
前記第一サブセットが前記第一データセットの前記対応するサブセットと一致するすべての前記第二データセットの前記第二サブセットから、特定の第二データセットに属する前記複数の潜在カスタム化ゴルフ用品パラメーターを特定するステップは、
前記複数の実際のゴルフ用品パラメーターおよび前記複数の実際のプレイヤー技能評価データに関する複数の関数を設定するステップと、
前記第一サブセットが前記第一データセットの前記対応するサブセットと一致するすべての前記第二データセットの前記第二サブセットに関連する前記潜在カスタム化ゴルフ用品パラメーターに、前記複数の関数を当てはめることにより、潜在プレイヤー技能評価データを生成するステップと、
前記第一サブセットが前記第一データセットの前記対応するサブセットと一致する前記第二データセットのそれぞれについて、値を有し、前記潜在プレイヤー技能評価データに関連するギャップインジケーターを生成するステップと、
最少の値の前記ギャップインジケーターを有する前記特定の第二データセットを選択するステップと、を含み、
前記ギャップインジケーターは、クラブ間の飛距離のギャップのばらつきを比較できる数値であって、前記ギャップインジケーターの値が小さいほどクラブ間の飛距離のギャップが一様に分散していることを示す、方法。
【発明の詳細な説明】
【技術分野】
【０００１】
本発明は、好ましいカスタム化用品パラメーターをゴルフクラブ用に選択する方法に関する。
（著作権の認可）
以下の開示は著作権により保護されている。米国特許商標庁に記録されている形で、本開示に含まれる文書をファクシミリにより複製することには、本著作権保有者は何ら異議を申し立てないが、それ以外は、適用可能な著作権はすべて留保されている。
【背景技術】
【０００２】
当業者には一般的に知られていることであるが、ゴルフクラブセットをプレイヤーにカスタムフィッティングさせることにより、プレイヤーのパフォーマンス水準が向上する場合がある。かかるカスタムフィッティングさせたゴルフクラブは、複数のフィッティング方法のいずれかを用いることにより、絶えず優れたショットが打てるようにプレイヤーの能力を改善するのに選択される。ほとんどのフィッティング方法において、単一の試験用クラブ、例えば６アイアンを用いて、１回またはそれ以上のゴルフスイングをするようにプレイヤーは要求される。次に、集められたデータは、そのセットの残りのクラブに関する推断の基礎として用いられる。しかし、単一の試験用クラブを用いてカスタムセットに適合したプレイヤーは、セット内のクラブ間で、ショット飛距離のプログレッションが一様でないことを後に見出す場合がある。従って、プレイヤーは、ゴルフのラウンド中様々なショットを行うにあたり、セットの中から適切なゴルフクラブを選択するのに困難を経験する場合がある。
【発明の概要】
【発明が解決しようとする課題】
【０００３】
本発明は、その１つまたはそれ以上の態様において、ショット飛距離のプログレッションをクラブ間でより一様にする複数のゴルフクラブの選択方法を、特長として含んでいる。
【課題を解決するための手段】
【０００４】
一実施例であるが、好ましいカスタム化用品パラメーターをゴルフクラブ用に選択する方法は、本発明の１つまたはそれ以上の態様によれば、複数の実際のゴルフ用品パラメーターおよび複数の実際のプレイヤー技能評価データを含む第一データセットを集めるステップと、複数の基準ゴルフ用品パラメーターおよび複数の基準プレイヤー技能評価データを含む第一サブセット並びに複数の潜在カスタム化ゴルフ用品パラメーターを含む第二サブセットをそれぞれ含む、複数の第二データセットを提供するステップと、前記複数の第二データセットのそれぞれの前記第一サブセットを前記第一データセットの対応するサブセットと比較するステップと、前記第一サブセットが前記第一データセットの前記対応するサブセットと一致するすべての第二データセットを選択するステップと、前記第一サブセットが前記第一データセットの対応するサブセットと一致するすべての前記第二データセットの前記第二サブセットから、特定の第二データセットに属する前記複数の潜在カスタム化ゴルフ用品パラメーターを特定するステップと、前記特定の第二データセットに属する前記複数の潜在カスタム化ゴルフ用品パラメーターを、前記複数の好ましいカスタム化ゴルフ用品パラメーターとして指定するステップとを含み、前記複数の実際のプレイヤー技能評価データは、プレイヤーの少なくとも２種類のクラブに関連したそれぞれのショット飛距離を含み、前記基準ゴルフ用品パラメーターは、可能なウェッジ数、スコアリングクラブおよび／またはロブウェッジの存否に関するデータを含み、前記潜在カスタム化ゴルフ用品パラメーターは、ゴルファーの使用に選択される可能性のあるクラブのタイプおよびロフトに関する記入を含み、前記第一サブセットが前記第一データセットの前記対応するサブセットと一致するすべての前記第二データセットの前記第二サブセットから、特定の第二データセットに属する前記複数の潜在カスタム化ゴルフ用品パラメーターを特定するステップは、前記複数の実際のゴルフ用品パラメーターおよび前記複数の実際のプレイヤー技能評価データに関する複数の関数を設定するステップと、前記第一サブセットが前記第一データセットの前記対応するサブセットと一致するすべての前記第二データセットの前記第二サブセットに関連する前記潜在カスタム化ゴルフ用品パラメーターに、前記複数の関数を当てはめることにより、潜在プレイヤー技能評価データを生成するステップと、前記第一サブセットが前記第一データセットの前記対応するサブセットと一致する前記第二データセットのそれぞれについて、値を有し、前記潜在プレイヤー技能評価データに関連するギャップインジケーターを生成するステップと、最少の値の前記ギャップインジケーターを有する前記特定の第二データセットを選択するステップと、を含み、前記ギャップインジケーターは、クラブ間の飛距離のギャップのばらつきを比較できる数値であって、前記ギャップインジケーターの値が小さいほどクラブ間の飛距離のギャップが一
様に分散していることを示す。
【０００５】
本発明の方法の種々の態様における上述または他の特徴およびメリットは、以下に１つまたはそれ以上の実施例で詳細に記載されるように、発明の詳細な説明、添付の図面および特許請求の範囲を考慮すれば明白である。添付の図面は例示目的のためだけであり、本発明の範囲を制限するように意図されるものではない。
【図面の簡単な説明】
【０００６】
【図１】図１は、プレイヤーの実際のゴルフ用品パラメーターおよび技能水準に対応する第一データセットを集めるための、複数の典型的な入力表を示す。
【図２】図２は、ローカルエリアネットワークに連結されたデータ処理装置の概略図である。
【図３】図３は、ワイドエリアネットワークを通してローカルエリアネットワークに連結された、データ処理装置の概略図である。
【図４】図４は、種々のゴルフショットを行った際のプレイヤーの習熟度を評価する、典型的な技能表を示す。
【図５】図５は、潜在カスタム化ゴルフ用品パラメーターを特定するためのルックアップ表である。
【図６】図６は、本発明の１つまたはそれ以上の態様による、典型的なギャップ関数のグラフ表示である。
【図７】図７は、本発明の１つまたはそれ以上の態様による、典型的なギャップ関数のグラフ表示である。
【図８】図８は、図６および図７のギャップ関数の図形表示である。
【発明を実施するための形態】
【０００７】
好ましいカスタム化パラメーターをゴルフクラブ、例えばアイアンタイプ用に選択する方法を開示する。当業者であれば、この方法が右利き用クラブにも左利き用クラブにも適用可能であることを理解するであろう。同様に、この方法はアイアン同様ウェッジにも適用できる。
【０００８】
図１に示すように、当該方法は、第一データ、例えば複数の実際のゴルフ用品パラメーター１０２と、複数の実際のプレイヤー技能評価データ１０４とを含む第一データセット１００を集めるステップを含んでいる。第一データセット１００は、好ましいカスタム化用品パラメーターを複数のアイアンタイプゴルフクラブ用に選択したいと考えているゴルファーから集める。図２に示すように、集められたデータは、スタンドアロン型ＰＣ、パーソナルデジタルアシスタント装置、あるいはデジタルネットワーク（例えばローカルエリアネットワーク（ＬＡＮ）１０８）に連結されたデータ端末１０６などの通信装置を通して処理してもよい。あるいは、図３に示すように、データ端末は、ワイドエリアネットワーク（ＷＡＮ）１１０を通してＬＡＮ１０８に連結されていてもよい。ネットワーク接続は、専用データラインだけでなく無線通信方式を使っても提供できることは、当業者であれば理解するであろう。
【０００９】
再び図１を参照すると、本発明の１つまたはそれ以上の態様によれば、複数の実際のゴルフ用品パラメーター１０２には、ゴルファーが実際に使用するアイアンタイプクラブのナンバー、タイプおよびロフトを含めても良い。例えば、表１に示すように、ゴルファーのプロフィールには、４１°のロフトを有する９アイアン、４５°のロフトを有するピッチングウェッジ（ＰＷ）および５６°のロフトを有するサンドウェッジ（ＳＷ）を含めてもよい。本発明の別の実施例では、ゴルファーのプロフィールには、更にあるいは替わりに、ギャップウェッジ（ＧＷ）、ロブウェッジ（ＬＷ）、スパーロブウェッジ（ＳＬＷ）およびスコアリングクラブ（すなわちチッパー）、あるいはそれらの組み合わせを含めてもよい。
【００１０】
図１を参照して論じた複数の実際のプレイヤー技能評価データ１０４には、ゴルファーのバッグにある少なくとも２つのクラブに関連したショット飛距離を含む。再び表１を参照すると、例えば９アイアン、ＰＷおよびＳＷに関連する典型的なショット飛距離は、それぞれ１２０ヤード、１１０ヤード、８０ヤードである。
【００１１】
表２に示すように、本発明の１つまたはそれ以上の態様によれば、複数の実際のプレイヤー技能評価データ１０４には、プレイヤーのハンディキャップ（すなわち、単にゴルファーの平均スコアではなく、ゴルファーのスコアの可能性を示すと考えられる、ゴルファーのパフォーマンス能力の数値表示）を含めてもよい。本発明の１つの態様では、ゴルファーのハンディキャップは、４つのカテゴリー、例えば５未満（カテゴリー１）、５から１０の間（カテゴリー２）、１０から２０の間（カテゴリー３）および２０超（カテゴリー４）に分類してもよい。ハンディキャップは、好みに応じていくらかの異なる方法で分類できることは、当業者であれば理解するであろう。表２は、プレイヤーのハンディキャップがカテゴリー３に分類されていることを示している。
【００１２】
図４を参照すると、複数の実際のプレイヤー技能評価データ１０４には、ショートゲーム診断（ＳＧＤ）を含めてもよい。ＳＧＤでは、プレイヤーは、特定のショットタイプ、例えばチップショット（ショット１）バンカーショット（ショット２）、フロップショット（ショット３）、ロングピッチショット（ショット４）およびフルウェッジショット（ショット５）に関して、自分の技能水準を評価する。プレイヤーは、各ショットタイプに１、２、３、４、５ポイントなどの値を割り当てることにより、自分のパフォーマンス水準を特定する。ショートゲーム診断は、関心のある単一のショットタイプに対応する値を選択することにより、あるいは関心のある複数のショットタイプに対応する値を平均することにより、得てもよい。表３（図１）は、図４を参照して記載したショットタイプに関するプレイヤーの典型的な技能評価、すなわちプレイヤーの典型的なショートゲーム診断結果を提供する。
【００１３】
本発明の１つまたはそれ以上の態様による方法は、複数の第二データセット１１２（図５）を含むルックアップ表またはデータ構造を提供するステップも含む。各データセット１１２は、複数の基準ゴルフ用品パラメーター１１６と、複数の基準プレイヤー技能評価データ１１８とを含む第一サブセット１１４を含んでもよい。各データセット１１２は、更に、潜在カスタム化ゴルフ用品パラメーター１２２を含む第二サブセット１２０を含んでもよい。
【００１４】
本発明の１つまたはそれ以上の態様によれば、基準ゴルフ用品パラメーター１１６は、可能なウェッジ数、スコアリングクラブおよび／またはロブウェッジの存否に関するデータを含んでもよい。基準プレイヤー技能評価データ１１８は、可能なプレイヤーハンディキャップ分類またはカテゴリー、ショートゲーム診断ショットタイプおよびショートゲーム診断に関する記入を含んでもよい。更に、潜在カスタム化ゴルフ用品パラメーター１２２は、ゴルファーの使用に選択される可能性のあるクラブのタイプおよびロフトに関する記入を含んでもよい。
【００１５】
本発明の１つまたはそれ以上の態様による方法は、複数の第二データセット１１２のそれぞれの第一サブセット１１４と、第一データセット１００の対応するサブセットとを比較するステップも含む。例えば、各第二セット１１２（図５）の基準ゴルフ用品パラメーター１１６は、表１（図１）を参照して上述した実際のゴルフ用品パラメーター１０２と比較される。同様に、複数の第二データセット１１２（図５）のそれぞれの基準プレイヤー技能評価データ１１８は、表２および３（図１）を参照して上述した実際のプレイヤー技能評価データ１０４と比較される。図５に示すように、本発明の１つまたはそれ以上の態様によれば、選択されたショットタイプ１および４に関する典型的ＳＧＤ平均スコアが、例えば２．５を下回り、ゴルファーが実際のゴルフ用品パラメーター１０２（表１、図１）からロブウェッジを除外する場合、選択されたショットタイプ１および４に関する典型的ＳＧＤ平均スコアが２．５を下回る１つまたはそれ以上の第一サブセット１１４に対応する、１つまたはそれ以上の第二サブセット１２０が選択される。同様に、選択されたショットタイプ１−５に関する典型的ＳＧＤ平均スコアが、例えば３．１９を上回り、ゴルファーが実際のゴルフ用品パラメーター１０２（表１、図１）にロブウェッジを含む場合、選択されたショットタイプ１−５に関する典型的ＳＧＤ平均スコアが３．１９を上回る１つまたはそれ以上のサブセット１１４に対応する、１つまたはそれ以上の第二サブセット１２０が選択される。第二データセット１１２を組み入れるルックアップ表またはデータ構造の分野および／または記入は、種々のクラブタイプ（例えば、パター、スコアリングクラブ、ウェッジ、アイアン、ハイブリッド、ウッドなど）、選択ロジック要求事項およびプレイヤープロフィールを含むように、異なる方法でアレンジしてもよいことは、当業者であれば理解するであろう。
【００１６】
更に、本発明の１つまたはそれ以上の態様による方法は、第一サブセット１１４が第一データセット１００に一致する全ての第二データセット１１２の第二サブセット１２０から、特定の第二データセット１１２に属する複数の潜在カスタム化ゴルフ用品パラメーター１２２を特定するステップも含む。より具体的には、特定の第二データセット１１２に属する複数の潜在カスタム化ゴルフ用品パラメーター１２２は、以下に示す方法で特定してもよい。
【００１７】
複数の実際のゴルフ用品パラメーター１０２および複数の実際のプレイヤー技能評価データ１０４に関する複数の関数が、図６および７に示されるように設定される。例えば、図６は、それぞれ９アイアンとピッチングウェッジ（ＰＷ）に関連して、実際のゴルフ用品パラメーター１０２（例えば、プレイヤープロフィールのロフト）およびプレイヤー技能評価データ１０４（例えば、プレイヤープロフィールの全体的なショット飛距離）に対応する２点によって設定されるギャップ関数またはギャップ線分１２４を示している。同様に、図７は、それぞれピッチングウェッジ（ＰＷ）とサンドウェッジ（ＳＷ）に関連して、実際のゴルフ用品パラメーター１０２（例えば、プレイヤープロフィールのロフト）およびプレイヤー技能評価データ１０４（例えば、プレイヤープロフィールの全体的なショット飛距離）に対応する２点によって設定されるギャップ関数またはギャップ線分１２６を示している。複数の実際のゴルフ用品パラメーター１０２および複数の実際のプレイヤー技能評価データ１０４に関するギャップ関数またはギャップ線分の数は、ゴルファーのプロフィールに含まれるクラブ数に依存し、表１（図１）に示されるように、ゴルファーのプロフィールに含まれる連続的に傾斜がついたクラブに対応する対のデータポイント間で設定されることは、当業者であれば理解するであろう。
【００１８】
ギャップ関数またはギャップ線分を含む直線は、数学的に式ｙ＝ｍｘ＋ｂで表してもよい（式中、ｘはゴルフクラブのロフトに対応し、ｙは所定のロフトｘを有するゴルフクラブに関連した全体的飛距離に対応し、ｍは直線の傾斜に対応し、ｂは所定のギャップ線分を含む直線のｙ切片に対応する）。
【００１９】
複数の実際のゴルフ用品パラメーター１０２および複数の実際のプレイヤー技能評価データ１０４に関する複数の関数が、例えば図６および図７を参照して述べたように設定されたならば、第一サブセット１１４が第一データセット１００に一致する全ての第二データセット１１２の第二サブセット１２０に関連する潜在カスタム化ゴルフ用品パラメーター１２２に、かかる関数を当てはめ、図８に示すように、潜在プレイヤー技能評価データポイント１２８を生成する。潜在カスタム化ゴルフ用品パラメーター１２２が、設定されたギャップ関数またはギャップ線分によって包含されるロフトの範囲外にある場合は、対応する潜在プレイヤー技能評価データポイント１２８を生成するのに使用されているギャップ線分が包含するロフトに最も近いロフトになる場合があることは、理解されるであろう。
【００２０】
第一サブセット１１４が第一データセット１００に一致する全ての第二データセット１１２の各々の各潜在カスタム化ゴルフ用品パラメーター１２２に関して得られる潜在プレイヤー技能評価データポイント１２８は、特定の値を有するギャップインジケーターを生成するのに使用される。ギャップインジケーターは、特定の第二データセット１１２に関連する各潜在プレイヤー技能評価データポイント１２８の値を二乗し、二乗した値を加算することにより計算される。次に、第一サブセット１１４が第一データセット１００に一致する全ての第二データセット１１２のギャップインジケーター値を互いに比較し、最少の値を有するギャップインジケーターを選択し、その最少のギャップインジケーターに対応する特定の第二データセット１１２を明らかにする。最少のギャップインジケーターに対応する特定の第二データセット１１２に属する複数の潜在カスタム化ゴルフ用品パラメーター１２２が、クラブ間のヤード数ギャップがより一様に分散され、ショットのばらつきが改善された、複数のゴルフクラブのための複数の好ましいカスタム化用品パラメーターとして指定される。
【００２１】
前述の本願明細書の内容では、本発明は特定の例示的態様に関連して記載されている。しかし、添付の特許請求の範囲に記載されている本発明のより広範囲な趣旨および範囲から逸脱することなく、種々の修正および変更を施すことが可能であることは明白である。従って、本願明細書も図面も、限定的な意味を持つものではなく、例示的な意味で記載されていると見なされるべきである。
【符号の説明】
【００２２】
１００…第一データセット、１０２…複数の実際のゴルフ用品パラメーター、１０４…複数の実際のプレイヤー技能評価データ、１０６…データ端末、１０８…ローカルエリアネットワーク（ＬＡＮ）、１１０…ワイドエリアネットワーク（ＷＡＮ）、１１２…第二データセット、１１４…第一サブセット、１１６…基準ゴルフ用品パラメーター、１１８…基準プレイヤー技能評価データ、１２０…第二サブセット、１２２…潜在カスタム化ゴルフ用品パラメーター、１２４…ギャップ関数またはギャップ線分、１２６…ギャップ関数またはギャップ線分、１２８…潜在プレイヤー技能評価データ。
【図１】
0005977484.tif 000002
【図２】
0005977484.tif 000003
【図３】
0005977484.tif 000004
【図４】
0005977484.tif 000005
【図５】
0005977484.tif 000006
【図６】
0005977484.tif 000007
【図７】
0005977484.tif 000008
【図８】
0005977484.tif 000009